(57)【要約】 【課題】  パチンコ機裏面を広く活用することができ、かつ、簡単な構造にして取り付けが容易で高速球払出しが可能なパチンコ機の球払出し装置を提供する。【解決手段】  筐体５に水平球誘導樋２につながる複数の水平通路５１と、該水平通路５１につながる複数の垂直通路５２とを設けたうえに、水平通路５１の上方には、バネＢの付勢により各水平通路５１内の球列に上方から割り込んで球の流下を規制する複数のストップレバー６と、該ストップレバー６を上方に回動させる複数のカム７と、該カム７が回転軸７３に所要間隔をおいて軸着されるモータＭとを配設し、かつ、各垂直通路５２には球計数用のセンサー９を配設して、モータＭを駆動することによりカム７が下向きのストップレバー６を上方に引き上げて賞球を高速で払い出す。【選択図】    図３
2005052509.tif 000002
【特許請求の範囲】
【請求項１】
一列に整理されて流下する複数の球列の途中に介装される球払出し装置であって、各球列には付勢されてその一端が球列に割り込んで球の流下を規制する複数の球停止片と、該球停止片を球列から回避させる複数のカムと、該カムが回転軸に所要間隔をおいて軸着されるモータとを配設し、さらに、各球停止片の球流下方向後方には通過球計数用のセンサーを配設して、モータを駆動することによりカムが球停止片を球列から回避させて球を流下させ、所定数の賞球を高速で払い出すようにしたことを特徴とするパチンコ機の球払出し装置。
【請求項２】
モータの回転軸に、複数のカムを回転方向に所要角度ずらして軸着した請求項１に記載のパチンコ機の球払出し装置。
【請求項３】
モータの回転軸の一端に該回転軸の逆転を停止するための逆止片を設け、球払出し装置の筐体の一側には前記逆止片を受け止めるための突起を設けて、カムが常に一定の位置から回転開始するようにした請求項２に記載のパチンコ機の球払出し装置。
【請求項４】
球停止片を球停止力を受ける方向に移動可能に支持し、球停止片の球停止力作動方向後方側に衝撃吸収用部材を配した請求項３に記載のパチンコ機の球払出し装置。
【請求項５】
球を一列に整理して流下させる球整列レールが複数形成された水平球誘導樋と、球を外部に送り出す垂直球排出樋との間に介装される球払出し装置であって、該球払出し装置は筐体を有しこの筐体に、前記球整列レールにつながる複数の水平通路と、該水平通路につながる複数の垂直通路とを形成したうえに、水平通路の上方には、バネの付勢により各水平通路内の球列に上方から割り込んで球の流下を規制する複数のストップレバーと、該ストップレバーを上方に回動する複数のカムと、該カムが回転軸に所要間隔をおいて軸着されるモータとを配設し、かつ、各垂直通路には通過球計数用のセンサーを配設して、モータを駆動することによりカムが下向きのストップレバーを上方に引き上げて、所定数の賞球を高速で払い出すようにしたことを特徴とするパチンコ機の球払出し装置。
【請求項６】
一列に整理されて流下する複数の球列の途中に介装される球払出し装置であって、各球列には球列に割り込んで球の流下を規制する複数の球停止片と、該球停止片が回転軸に所要間隔をおいて軸着されるモータとを配設し、さらに、各球停止片の球流下方向後方には通過球計数用のセンサーを配設して、モータを駆動することにより球停止片が球列から回避されて、所定数の賞球を高速で払い出すようにしたことを特徴とするパチンコ機の球払出し装置。
【請求項７】
モータの回転軸に、複数の球停止片を回転方向に所要角度ずらして軸着した請求項６に記載のパチンコ機の球払出し装置。
【請求項８】
モータの回転軸の一端に該回転軸の逆転を停止するための逆止片を設け、球払出し装置の筐体の一側には前記逆止片を受け止めるための突起を設けて、球停止片が常に一定の位置から回転開始するようにした請求項７に記載のパチンコ機の球払出し装置。
【請求項９】
全球停止片を解放して各球列一斉に球を払出す１次高速球払出し段階と、次いで払出し球列を一列に減少させて球を払出す２次高速球払出し段階と、玉を１球ずつ送り出して払出し数を所定数に合わせる最終調整段階とにより球を払い出すようにした請求項１〜８の何れかに記載のパチンコ機の球払出し装置。
【発明の詳細な説明】
【技術分野】
【０００１】
本発明は、球の入賞に応じて賞玉を払い出すためのパチンコ機の球払出し装置に関するものである。
【背景技術】
【０００２】
パチンコ機の裏側には、上部の球タンクと、その下部の水平球誘導樋と、この球誘導樋に連設された垂直球排出樋が配設されており、要求された賞球を払い出すための球払出し装置は、従来球排出樋の下部に設けられていた。しかし、前記球排出樋における球通路は一本であって、この球通路にロータを設けて球をロータの回転により払い出していたので、今日のパチンコ機のように一度に大量の球を高速で払い出すには限界があるものであった。
【０００３】
球の高速払出しを可能とするパチンコ機の球払出し装置として、特許第２５３０２４６号公報には、誘導樋の水平傾斜部から垂直部に曲折される屈曲部に配置され、かつ誘導樋内にその上端に設けられる上部ストッパー片とその下端に設けられる下部ストッパー片とが交互に前記誘導樋の水平傾斜部と垂直部に出没する複数の開閉部材と、該複数の開閉部材をそれぞれ揺動駆動する複数の電磁ソレノイドとからなる球払出し装置が開示されている。しかしながら、この球払出し装置は、誘導樋の垂直部にソレノイドが開閉部材を押圧可能にして配設されているので、誘導樋の垂直部をパチンコ機機枠より中の方に設ける必要があった。このため、役物の制御機構やこれに関連する電気部品などを設置するスペースが狭くなってしまい、今日の役物の大型化傾向に逆行するというという致命的な欠点を有している。また、複数の開閉部材に対応してそれぞれ電磁ソレノイドを対応させて設けてあるので、装置が複雑になって製造コストがかさむ。さらに、球払出し装置の組付けに当っては、複数の開閉部材、ソレノイドを順次所要部位に取り付けねばならないので、取り付け位置の調整が必要でしかも取り付け作業に時間を要するという問題がある。
【特許文献１】特許第２５３０２４６号公報  (第２図)
【発明の開示】
【発明が解決しようとする課題】
【０００４】
本発明は上記した従来の問題点に鑑みなされたもので、その目的とするところは、パチンコ機裏面を広く活用することができ、簡単な構造にして取り付けが容易で、かつ高速球払出しが可能なパチンコ機の球払出し装置を提供するためになされたものである。
【課題を解決するための手段】
【０００５】
上記の課題を解決するためになされた本発明は、一列に整理されて流下する複数の球列の途中に介装される球払出し装置であって、各球列には付勢されてその一端が球列に割り込んで球の流下を規制する複数の球停止片と、該球停止片を球列から回避させる複数のカムと、該カムが回転軸に所要間隔をおいて軸着されるモータとを配設し、さらに、各球停止片の球流下方向後方には通過球計数用のセンサーを配設して、モータを駆動することによりカムが球停止片を球列から回避させて球を流下させ、所定数の賞球を高速で払い出すようにしたことを特徴とするパチンコ機の球払出し装置である。
なお、上記した球払出し装置において、モータの回転軸に、複数のカムを回転方向に所要角度ずらして軸着するのが望ましく、また、モータの回転軸の一端に該回転軸の逆転を停止するための逆止片を設け、球払出し装置の筐体の一側には前記逆止片を受け止めるための突起を設けて、カムが常に一定の位置から回転開始するようにするのが望ましく、また、球停止片を球停止力を受ける方向に移動可能に支持し、球停止片の球停止力作動方向後方側に衝撃吸収用部材を配すのが望ましい。
【０００６】
また、本発明は、球を一列に整理して流下させる球整列レールが複数形成された水平球誘導樋と、球を外部に送り出す垂直球排出樋との間に介装される球払出し装置であって、該球払出し装置は筐体を有しこの筐体に、前記球整列レールにつながる複数の水平通路と、該水平通路につながる複数の垂直通路とを形成したうえに、水平通路の上方には、バネの付勢により各水平通路内の球列に上方から割り込んで球の流下を規制する複数のストップレバーと、該ストップレバーを上方に回動する複数のカムと、該カムが回転軸に所要間隔をおいて軸着されるモータとを配設し、かつ、各垂直通路には通過球計数用のセンサーを配設して、モータを駆動することによりカムが下向きのストップレバーを上方に引き上げて、所定数の賞球を高速で払い出すようにしたことを特徴とするパチンコ機の球払出し装置である。
【０００７】
また、本発明は、一列に整理されて流下する複数の球列の途中に介装される球払出し装置であって、各球列には球列に割り込んで球の流下を規制する複数の球停止片と、該球停止片が回転軸に所要間隔をおいて軸着されるモータとを配設し、さらに、各球停止片の球流下方向後方には通過球計数用のセンサーを配設して、モータを駆動することにより球停止片が球列から回避されて、所定数の賞球を高速で払い出すようにしたことを特徴とするパチンコ機の球払出し装置であり、前記モータの回転軸に、複数の球停止片を回転方向に所要角度ずらして軸着するのが望ましく、モータの回転軸の一端に該回転軸の逆転を停止するための逆止片を設け、球払出し装置の筐体の一側には前記逆止片を受け止めるための突起を設けて、球停止片が常に一定の位置から回転開始するようにするのが望ましい。
さらに、上記した球払出し装置において、全球停止片を解放して各球列一斉に球を払出す１次高速球払出し段階と、次いで払出し球列を一列に減少させて球を払出す２次高速球払出し段階と、玉を１球ずつ送り出して払出し数を所定数に合わせる最終調整段階とにより球を払い出すことができる。
【発明の効果】
【０００８】
本発明のパチンコ機の球払出し装置は、各球列には付勢されてその一端が球列に割り込んで球の流下を規制する複数の球停止片と、該球停止片を球列から回避させる複数のカムと、該カムが回転軸に所要間隔をおいて軸着されるモータとを配設し、さらに、各球停止片の下流には通過球計数用のセンサーを配設したので、モータを駆動することによりカムが球停止片を球列から回避させて、所定数の賞球を高速で払い出すことができる。また、本発明のパチンコ機の球払出し装置は、筐体に組み立てられた１個の機構部品としてあるので、水平球誘導樋と垂直球排出樋との間に簡単に装着することができる。また、各球列の上方に球停止片とその駆動機構を配したので、垂直球排出樋を機枠の中寄りに設ける必要がなく、したがって、パチンコ機裏面に大きなスペースを確保することができる。
【０００９】
また、上記したカムに代えて球停止片をモータに軸着しても同様の効果を得ることができる。すなわち、球停止片を球列に上方から割り込ませて球の流下を規制する一方、この球停止片をモータの駆動により上方に回動させることによって、所定数の賞球を高速で払い出すことができる。この形態の球払出し装置は極めて簡単な構造であるので、製造コストを大幅に低減することができる。
【００１０】
また、モータの回転軸に、複数のカムまたは球停止片を回転方向に所要角度ずらして軸着したので、払出し球列を制御して払出しを正確に行うことができ、またモータのトルクを軽減できる。さらに、モータの回転軸の一端に該回転軸の逆転を停止するための逆止片を設け、筐体の一側には前記逆止片を受け止めるための突起を設けたので、カムまたは球停止片が常に一定の位置から回転開始することができて、球の払出しを正確に行うことができる。
さらに、球の払出しを、各球列一斉に球を払出す１次高速球払出し段階と、払出し球列を一列に減少する２次高速球払出し段階と、玉を１球ずつ送り出す最終調整段階とにより行うようにしたので、球の払出しを高速かつ正確に行うことができる。
【発明を実施するための最良の形態】
【００１１】
以下に図面を参照しつつ本発明の好ましい実施形態を説明する。
図１は本発明に係る球払出し装置が配設されたパチンコ機裏面上部を示す図であって、１は球タンク、２は水平球誘導樋、３は球払出し装置、４は垂直球排出樋である。水平球誘導樋２は球タンク１から受入れた球を整列して球払出し装置３に送り込む。球払出し装置３は、筐体５を基台として組み立てられた１個の機構部品であって、賞球払出しの要求に応じて所定数の球を計数して垂直球排出樋４に払い出す。垂直球排出樋４は払い出された球をパチンコ機前面の上皿に送出する。なお、本明細書において、水平、垂直とは厳密な水平、垂直状態を指すものではない。
【００１２】
水平球誘導樋２には、図２に示すように、４本の球整列レール２１が上流から下流に渡って平行に形成されており、球タンク１から流入した球をそれぞれの球整列レール２１において一段一列に整列して球払出し装置３に送る。球払出し装置３は、水平球誘導樋２と垂直球排出樋４との間に着脱自在に介装されているが、球払出し装置３を水平球誘導樋２の末端に配したので、球の流速を押さえることができる。したがって、垂直球排出樋４内に左右に湾曲した球通路を設ける必要がないので構造を簡素化することができる。
【００１３】
図２〜５に球払出し装置３の詳細を示すが、この球払出し装置３には、球整列レール２１につながる４本の水平通路５１と、該水平通路５１につながる４本の垂直通路５２とが形成されており、水平通路５１は上部に窓５３を有する。また、各水平通路５１の上方には、バネＢの付勢により下方に回動されて球の流下を停止させるストップレバー６と、ストップレバー６を上方に回動させるカム７とが配設されている。
【００１４】
ストップレバー６は、前記窓５３から水平通路５１に臨む球停止片６１と、バネＢの掛止片６２と、カム７との係合片６３とを有する。このストップレバー６は、支軸８１に装着されたアーム８にスイング軸６４が取り付けられているので、ストップレバー６の球停止片６１はカム７の回転により上方に回動することができる。なお、ストップレバー６の後端にはこのレバー６の衝撃を受け止めるためのゴム製の衝撃吸収用部材８３が設けられていて、ストップレバー６後退回動時の衝撃吸収と位置決めとを行う。
【００１５】
各カム７は、それぞれのストップレバー６を上方に回動するように、パルスモータなどのモータＭの回転軸７３に所要間隔をおいて軸着されている。ここで各カム７は、少なくとも一列のみ球列を解放し他を閉止するように回転方向に位相をずらして軸着してある。また、他の球列のカム７も位相をずらすことにより、球停止片を持ち上げる作動力を分散できるので、モータＭへの負荷が軽減でき、作動の確実化、モータＭの小型化が可能となる。
【００１６】
また、モータＭの回転軸７３の一端には、該回転軸７３の逆転を停止するための逆止片７１が設けられ、一方、筐体５の一側には前記逆止片７１を受け止めるための突起７２が設けられている。したがって、回転軸７３の逆転位置を正しく位置決めしてカム７が常に一定の位置から回転開始することができるので、球の払出しを正確に行うことができる。
【００１７】
水平通路５１を通過した球は次いで垂直通路５２を通過することになるが、それぞれの垂直通路５２には通過球を検知するためのセンサー９が向き合わせて設けてある。センサー９としてフォトセンサー、磁気センサーなどを用いることができる。各センサー９の計測した球数を累積加算することによって、払い出された球数をカウントすることができる。
【００１８】
球払出し前においてストップレバー６は、図３に示したように、バネＢの付勢により各水平通路５１内の球列に上方から割り込んで球の流下を規制している。この状態では、モータＭの回転軸７３の逆止片７１が突起７２に受け止められており、カム７は正しい位置にセットされている。
球を払い出すにはモータＭを駆動しカム７を回転させてストップレバー６を回動する。これによって、図６、７に示すように、球停止片６１が上方に引き上げられるので、球を例えば１分当り３０００個以上の高速で払い出すことができる。
【００１９】
大量の球を高速で払い出すには、例えば図１１に示すように、４つのストップレバー６を一斉に引き上げて所定個数の球のほとんどを払い出す１次高速球払出し段階と、玉を１球ずつ送り出して不足分を補充する最終調整段階とにより２段階で球を払い出すことができる。また、図１２に示すように、球列を順次解放した１次高速球払出し段階と最終調整段階との間に、払出し球列を一列に減少させて高速で払出す２次高速球払出し段階を設けることによっても、要求された数の賞球を高速かつ正確に払い出すことができる。
【００２０】
また、図８に示すように上記したカム７に代えて球停止片７５をモータＭに軸着しても同様の効果を得ることができる。すなわち、球停止片７５を球列に上方から割り込ませて球の流下を規制する。球払出し時には、図９、１０に示すように、球停止片７５をモータＭの駆動により上方に所要角度、例えば９０°回動させることによって、賞球を高速で払い出すことができる。なお、モータＭの回転軸７３に、複数の球停止片７５を回転方向に所要角度ずらして軸着してあるので、球の払出しタイミングをずらすことができる。また、モータＭの回転軸７３の一端に該回転軸７３の逆転を停止するための逆止片７１を設け、筐体５の一側には前記逆止片７１を受け止めるための突起７２を設けたので、球停止片７１が常に一定の位置から回転開始するので、正確に球を払い出すことができる。
【００２１】
以上に説明したように、本発明のパチンコ機の球払出し装置は、簡単な構造にして取り付けが容易で、かつパチンコ機裏面を広く活用することができる高速球払出し装置として大きな利点を有するものである。
【図面の簡単な説明】
【００２２】
【図１】本発明の球払出し装置が備えられたパチンコ機裏面上部の正面図である。
【図２】図１のＢ−Ｂ線断面図である。
【図３】本発明の球払出し装置の正面図である。
【図４】図１のＡ−Ａ線断面図である。
【図５】図１のＣ−Ｃ線断面図である。
【図６】ストップレバーが上方に回動中の球払出し装置の正面図である。
【図７】球払出し中である球払出し装置の正面図である。
【図８】第２の実施形態の球払出し装置を示す正面図である。
【図９】球停止片が上方に回動中の球払出し装置の正面図である。
【図１０】球払出し中である第２の実施形態の球払出し装置の正面図である。
【図１１】２段階からなる球払出し工程を示すタイムチャートである。
【図１２】３段階からなる球払出し工程を示すタイムチャートである。
【符号の説明】
【００２３】
２  水平球誘導樋
５  筐体
６  ストップレバー
７  カム
９  センサー
５１  水平通路
５２  垂直通路
７３  回転軸
Ｂ  バネ
Ｍ  モータ
【図１】
2005052509.tif 000003
【図２】
2005052509.tif 000004
【図３】
2005052509.tif 000005
【図４】
2005052509.tif 000006
【図５】
2005052509.tif 000007
【図６】
2005052509.tif 000008
【図７】
2005052509.tif 000009
【図８】
2005052509.tif 000010
【図９】
2005052509.tif 000011
【図１０】
2005052509.tif 000012
【図１１】
2005052509.tif 000013
【図１２】
2005052509.tif 000014